(57)【特許請求の範囲】
【請求項１】
床下地上に複数敷き込まれる床仕上材の少なくとも四隅下面に嵌合用の雄、雌いずれかの第１の嵌合用手段を設け、床下地上に前記第１の嵌合用手段の雄、雌いずれかに嵌合する雌、雄いずれかの第２の嵌合用手段を備えた固定部材を固定し、第１及び第２の嵌合用手段を嵌合させた状態において床仕上材の下面に配線などのための空間を形成した床構造において、
前記第１の嵌合用手段として雄又は雌のファスナーを使用し、第２の嵌合用手段として雌又は雄のファスナーを使用し、
前記第２の嵌合用手段のファスナーはチャンネル状のベース板の立上り部分で囲まれた部分に取付けられ、
ファスナー付のベース板からなる固定部材のファスナーには隣り合う２枚又は突き合わせられる４枚の床仕上材の四隅の第１の嵌合用手段であるファスナーが嵌合し、
ベース板の立上り部分を第１及び第２の嵌合用手段を収容できる高さにしたことを特徴とする床構造。
【請求項２】
前記雄雌一対のファスナーとしては、樹脂製嵌合ファスナー材又はシート状のファスナーを用いたことを特徴とする請求項１に記載の床構造。
【発明の詳細な説明】
【０００１】
【発明の属する技術分野】
この発明は、木質系などの硬質床仕上材を複数床下地上に敷き込んだ床構造に関する。
【０００２】
【従来の技術】
従来の床仕上材１００を床下地１０１上に複数枚敷き込んだ床構造としては、図１４及び図１５に示す構造が知られている。図１４に示す従来例では、コンクリートスラブなどの床下地１０１に接着剤１０２で床仕上材１００を貼り付けてある。図１５に示す従来例では、ともに木質系の床下地１０１に釘１０３で床仕上材１００を固定してある。また、床仕上材１００同士の側面には実加工が施してあり、実を溝に嵌め込んで矧ぎ合わせていた。
【０００３】
【発明が解決しようとする課題】
床仕上材１００を接着剤１０２でコンクリートなどの床下地１０１に接着する従来例は、接着剤がはみ出たり、床仕上材１００の表面を汚してしまって資材を無駄にすることもあった。また、釘１０３で固定する場合、釘を正確に打ちつける熟練した技能を必要としていた。さらに、両方の従来技術ともに、居住中に床仕上材が損傷を受けた場合やレイアウト変更の場合には、ほとんどの床仕上材を壊して取り替える必要があり、費用及び材料の無駄が多かった。特に木質系仕上材では、木材資源を無駄にし、森林の保護を図る上でマイナスとなっていた。さらにまた、従来の床仕上材は下面が床下地に全面的に接触するので、床仕上材の下方に電気コードなどの配線を配することもできなかった。
【０００４】
そこで、この発明は、施工を容易にし、施工後の床仕上材の取り替えも壊さずに可能とし、居住者によるメンテナンスも容易にし、下方に配線などを配することもできる高機能な床構造を提供することを目的とするものである。
【０００５】
【課題を解決するための手段】
上述の目的を達成するため、この発明は、床下地上に複数敷き込まれる床仕上材の少なくとも四隅下面に嵌合用の雄、雌いずれかの第１の嵌合用手段を設け、床下地上に前記第１の嵌合用手段の雄、雌いずれかに嵌合する雌、雄いずれかの第２の嵌合用手段を備えた固定部材を固定し、第１及び第２の嵌合用手段を嵌合させた状態において床仕上材の下面に配線などのための空間を形成した床構造において、前記第１の嵌合用手段として雄又は雌のファスナーを使用し、第２の嵌合用手段として雌又は雄のファスナーを使用し、前記第２の嵌合用手段のファスナーはチャンネル状のベース板の立上り部分で囲まれた部分に取付けられ、ファスナー付のベース板からなる固定部材のファスナーには隣り合う２枚又は突き合わせられる４枚の床仕上材の四隅の第１の嵌合用手段であるファスナーが嵌合し、ベース板の立上り部分を第１及び第２の嵌合用手段を収容できる高さにしたものである。
【０００６】
【発明の実施の形態】
以下に、この発明の好適な実施例を図面を参照にして説明する。
【０００７】
図１に示す実施例では、床下地１に複数の床仕上材２を敷き込むが、この床仕上材２の四隅下面には切欠凹所２Ａを形成し、この切欠凹所２Ａに嵌合用の雄、雌いずれかの第１の嵌合用手段３を設けてある。また、床下地１上には固定部材４を固定してあり、この固定部材４は第１の嵌合用手段３の雄、雌いずれかに嵌合する雌、雄いずれかの第２の嵌合用手段５を備えている。また、固定部材４の第２の嵌合用手段５に第１の嵌合用手段３を嵌合させた状態において、床仕上材２の下面に配線などのための空間６を形成してある。この空間６は床仕上材２の下面に十字型に凹部７を形成することにより設けられる。
【０００８】
図２は図１の底面図を示し、空間６を形成するための凹部７と固定部材４の底面を示す。この実施例では固定部材４は正方形状に形成した。この実施例では第２の嵌合用手段５自体が固定部材４となっている。
【０００９】
図３の実施例では、切欠凹所２Ａを三角形状に形成し、この切欠凹所２Ａの形状に合わせて第１の嵌合用手段３と固定部材４も三角形状に形成した。また、床仕上材２の裏面の中心部にも第１の嵌合用手段３と固定部材４とが嵌まり込む凹所２Ｂを形成してある。
【００１０】
図４に示す他の実施例では、床仕上材２の四隅下面に切欠凹所２Ａや凹所２Ｂを形成せず、床仕上材２の平坦な下面の四隅に第１の嵌合用手段３を取付けた。第２の嵌合用手段５はチャンネル状のベース板８に取付け、このベース板８と第２の嵌合用手段５とで固定部材４を構成してある。この四隅の個所の図４中矢印Ａで示す個所を拡大し分解した図を図５に示す。ベース板８の立上り部分は第１及び第２の嵌合用手段３，５を収容できる高さとなっている。このベース板８の下面は床下地１に固定される。
【００１１】
図６及び図７は、第１及び第２の嵌合用手段３，５と固定部材４とが取付けられる種々のバリエーションを示す床仕上材２の底面図である。
【００１２】
図８に示す実施例では、相隣り合う２枚の床仕上材２を１つの固定部材４で固定する例を示すものである。
【００１３】
図９に示す実施例は、４枚の床仕上材２の隅角部が突き合わされる個所において１つの固定部材４で４枚の床仕上材２の各隅角部を支持する例を示すものである。
【００１４】
以上図１ないし図９で説明した実施例で用いられる第１の嵌合用手段３と第２の嵌合用手段５とは、雄雌一対の樹脂製嵌合ファスナー材やシート状のファスナー（商標名マジックテープ）を用いた。
【００１５】
図１０に示す他の実施例では、床仕上材２の裏面の四隅に第１の嵌合用手段３として嵌合孔を形成した例を示すものである。
【００１６】
図１１は、この図１０のア−ア線断面を示すものであり、この嵌合孔からなる第１の嵌合用手段３に対し固定部材４の第２の嵌合用手段５としてこの嵌合孔に嵌合する突起を設けたものを示す。この突起からなる第２の嵌合用手段５は固定板９に立設されている。
【００１７】
図１２は第２の嵌合用手段５としての突起の頭部に小突起１０を設け、この小突起１０の存在により一旦嵌合孔である第１の嵌合用手段３に突起を挿入した後は抜け出なくなっている。同様の考え方としては、図１３に示すように小突起１０を嵌合孔の内部に形成することもできる。
【００１８】
固定部材４の構成要素としてベース板８や固定板９を使用したものでは、床仕上材２の下面に凹部７を形成しなくとも、少なくともこれらの部材の厚み分は床仕上材２の下面と床下地１の上面との間に配線用などの空間６を形成することができる。このような空間６の高さは５ｍｍ以上あることが望ましい。なお、固定部材４の構成要素として用いられるベース板８や固定板９の材質は、金属や合成樹脂等種々の材料を用いることができ、それらの床下地１への固定は、粘着材、接着剤あるいはステープル等を使用することで簡単に行える。
【００１９】
【発明の効果】
以上説明したように、この発明によれば、床下地上に複数敷き込まれる床仕上材の少なくとも四隅下面に嵌合用の雄、雌いずれかの第１の嵌合用手段を設け、床下地上に前記第１の嵌合用手段の雄、雌いずれかに嵌合する雌、雄いずれかの第２の嵌合用手段を備えた固定部材を固定し、第１及び第２の嵌合用手段を嵌合させた状態において床仕上材の下面に配線などのための空間を形成した床構造において、前記第１の嵌合用手段として雄又は雌のファスナーを使用し、第２の嵌合用手段として雌又は雄のファスナーを使用し、前記第２の嵌合用手段のファスナーはチャンネル状のベース板の立上り部分で囲まれた部分に取付けられ、ファスナー付のベース板からなる固定部材のファスナーには隣り合う２枚又は突き合わせられる４枚の床仕上材の四隅の第１の嵌合用手段であるファスナーが嵌合し、ベース板の立上り部分を第１及び第２の嵌合用手段を収容できる高さにしたので、従来のように熟練した技能を要することなく床仕上材を簡単に敷き込んでいくことができ、しかも接着剤を使わないので床仕上材を汚したりすることもない。さらに、雄雌の嵌合による固定なので、床仕上材の取り替えも容易に行え、居住者によるメンテナンスが可能であるとともに、下方に電線や電力ケーブル等の配線を配することができ、床構造の高機能化を図ることができる。さらに、床仕上材を床下地上に敷き込む作業も迅速化され、施工能率の向上ならびに工期短縮が可能である。特に、リニューアル時の床仕上材の移動や撤去が容易にでき、資源を無駄にすることもなくなる。
【図面の簡単な説明】
【図１】この発明の好適な実施例を示す斜視図。
【図２】図１の床仕上材の裏面図。
【図３】変形例を示す床仕上材の裏面図。
【図４】他の実施例を示す斜視図。
【図５】図４における矢印Ａで示す個所の拡大分解正面図。
【図６】床仕上材の裏面図。
【図７】床仕上材の裏面図であって固定部材の配置を変えた例を示す図。
【図８】さらに別の実施例を示す斜視図。
【図９】さらに他の実施例を示す斜視図。
【図１０】別の実施例を示す裏面図。
【図１１】図１０のア−ア線断面であって第２の嵌合用手段と嵌合した状態を示す図。
【図１２】第２の嵌合用手段側に小突起を設けた例を示す断面図。
【図１３】第１の嵌合用手段側に小突起を設けた例を示す断面図。
【図１４】従来例を示す断面図。
【図１５】他の従来例を示す断面図。
【符号の説明】
１  床下地
２  床仕上材
３  第１の嵌合用手段
４  固定部材
５  第２の嵌合用手段
６  空間
【図１】
0004303856.tif 000002
【図２】
0004303856.tif 000003
【図３】
0004303856.tif 000004
【図４】
0004303856.tif 000005
【図５】
0004303856.tif 000006
【図６】
0004303856.tif 000007
【図７】
0004303856.tif 000008
【図８】
0004303856.tif 000009
【図９】
0004303856.tif 000010
【図１０】
0004303856.tif 000011
【図１１】
0004303856.tif 000012
【図１２】
0004303856.tif 000013
【図１３】
0004303856.tif 000014
【図１４】
0004303856.tif 000015
【図１５】
0004303856.tif 000016